(57)【特許請求の範囲】
【請求項１】
壁面に所定の間隔で突設された突設部材と、突設部材の先端に取付けられた押さえ部材とを備え、フェンスを壁面に取付けるフェンスの支持具であって、突設部材と押さえ部材とには、相対向する受け面と押さえ面とがそれぞれ形成され、フェンスが、前記受け面の一側端から他側端に亘って当接された状態で、この受け面と押さえ面とによって挟持されていると共に、押さえ部材は、前記受け面の偏心位置で接続具を介して、突設部材に取付られていることを特徴とするフェンスの支持具。
【請求項２】
フェンスの線材は、前記押さえ面においてもその一側端から他側端に亘って当接されていることを特徴とする請求項１に記載のフェンスの支持具。
【請求項３】
突設部材は、壁面に固着された基部の先端に螺子手段により受け部材が取付けられ、受け部材は前記螺子手段の螺入出により基部に対して回動且つ前後方向に進退可能となされると共に、この受け部材に前記受け面が形成されていることを特徴とする請求項１または２に記載のフェンスの支持具。
【請求項４】
請求項１〜３のいずれか１項に記載の支持具によってフェンスが壁面に取付けられ、このフェンスに植物を支持させて緑化させるようになされたことを特徴とするフェンスの取付構造。
【発明の詳細な説明】
【技術分野】
【０００１】
本発明は、フェンスを壁面などに固定するためのフェンスの支持具及び取付構造に関するものであり、特に、建築構造物の壁面を緑化させる際に植物を支持させるためのフェンスの支持具及びフェンスの取付構造に関するものである。
【背景技術】
【０００２】
一般に、建築構造物の壁面を緑化するために、地面にかずら等のつる性植物類を植えて外壁を植物で覆う方法は昔から行われているが、この方法では、植物が壁面全体を覆うには比較的長期間かかり、又、植物の生長方向が一様でなく、植物に覆われていない箇所が生じやすいという問題点があった。そこで、壁面と所定の間隔を開けて線状体を取付け、その線材に沿って植物を生長させて壁面を緑化させる際に、前記線状体を壁面に取付けるための支持具が提案されている（例えば、特許文献１参照。）。
【０００３】
この支持具は、壁面に所定の間隔で突設された支柱と、この支柱の端部に連結固定された筒状であり筒壁に線状体を受け止める受溝を有するクランプと、このクランプに取付けられ線状体を挟持固定するロックねじとを含み、格子状に配置された線状体を壁面に取付ける際に、線状体の交差部が該クランプに固定されるようなされた支持具であり、比較的簡単な操作で線状体を壁面に取付けることができ、又、線状体を任意の配置パターンで壁面に張り渡すことができる。
【特許文献１】特開２００４−３４６９８４号公報
【０００４】
しかしながら、前記の支持具には次のような問題点があった。すなわち前記支持具において、線状体はクランプに形成された筒壁の溝部のみで受け止められているため、線状体の長さ方向に位置ずれを起こすおそれがあった。又、施工誤差による前記支持具に取付位置のずれが生じた場合、線状体の取付位置を調整することが難しく、特に線状体の交差部を予め接合した格子状のフェンスを取付ける際は、支持具や線状体に無理な力がかかって施工性が低下するおそれがあり、これらに問題点があった。
【発明の開示】
【発明が解決しようとする課題】
【０００５】
本発明は、前記の如き問題点を解消し、フェンスを壁面に取付ける際に、施工誤差による位置ずれを吸収する機構を有し、かつ、取付けられたフェンスが位置ずれし難いフェンスの支持具及び取付構造を提供せんとするものである。
【課題を解決するための手段】
【０００６】
上記目的を達成するために、本発明は次のような構成としている。
すなわちこの発明に係るフェンスの支持具は、壁面に所定の間隔で突設された突設部材と、突設部材の先端に取付けられた押さえ部材とを備え、フェンスを壁面に取付けるフェンスの支持具であって、突設部材と押さえ部材とには、相対向する受け面と押さえ面とがそれぞれ形成され、フェンスが、前記受け面の一側端から他側端に亘って当接された状態で、この受け面と押さえ面とによって挟持されていると共に、押さえ部材は、前記受け面の偏心位置で接続具を介して、突設部材に取付られていることを特徴とするものである。
【０００７】
又本発明に係るフェンスの取付構造は、本発明に係る支持具によってフェンスが壁面に取付けられ、このフェンスに植物を支持させて緑化させるようになされたことを特徴とするものである。
【発明の効果】
【０００８】
本発明によれば、施工誤差等により、本発明に係る支持具が当初の取付位置からずれて壁面に取付けられても、フェンスは突設部材の受け面と押さえ部材の押さえ面との間に位置していれば挟持されるので、前記フェンスは壁面に対して無理なく取付けられる。更に、フェンスは受け面の一側端から他側端に亘って当接された状態で挟持されるため、長さ方向に対して滑りにくく、位置ずれを起こしにくくなる。この際、フェンスが前記押さえ面においてもその一側端から他側端に亘って当接されていれば、より位置ずれを起こしにくくなる。
【０００９】
本発明に係る支持具において、突設部材は、壁面に固着された基部の先端に螺子手段により受け部材が取付けられ、受け部材は前記螺子手段の螺入出により基部に対して回動且つ前後方向に進退可能となされると共に、この受け部材に前記受け面が形成されるようになされれば、壁面に不陸が生じていても受け部材を位置調整することにより、隣接する受け面の位置が揃えられ、前記フェンスは壁面に対して無理なく取付けられる。
【００１０】
又、本発明に係るフェンスの支持具は、押さえ部材が、前記受け面の偏心位置で接続具を介して、突設部材に取付られるようになされているので、前記受け面上で接続具の位置に対して遠点側でフェンスの線材を当接させることにより、線材の挟持可能域を広く確保することができ、施工誤差等による位置ずれの調整がより容易となる。
【発明を実施するための最良の形態】
【００１２】
次に、本発明を実施するための最良の形態について図面を参照し、具体的に説明する。
【００１３】
すなわち、図１はフェンスの支持具の参考例を示す斜視図、図２は図１の支持具の断面図、図３は本発明に係るフェンスの支持具において実施の一形態を示す斜視図、図４は図３の支持具の断面図、図５はフェンスの支持具の参考例を示す斜視図、図６は図５の支持具の断面図である。図７は図２の受け面の正面図である。
【００１４】
図面において、1は植物を支持するためのフェンス、２は突設部材、３は突設部材２の先端に取付けられた押さえ部材であり、本形態に係るフェンスの支持具Ｐは、突設部材２、及び押さえ部材３から主に構成され、壁面Ｗに取付けられると共に、フェンス１を支持して壁面Ｗに取付けるためのものである。
【００１５】
まず、フェンス１は、植物を巻きつかせて生長させる支持材料であれば、特に限定されるものではなく、例えば、縦横の線材を格子状に組み合わせたもの、サインカーブ状あるいは鋸歯状等の波形に形成された線材を格子状に組み合わせたもの、線材が縦方向のみに並行に配置されたもの、あるいはこれらを組み合わせたもの、線材が右斜め及び左斜めに配置されて菱形状の網目が形成されたもの、線材の代わりに合成繊維や紐等を用いたもの、金属板に並行かつ千鳥状に配列された切れ目を多数形成させて切れ目を網目状に拡げてなるエキスパンドメタルでもよい。また、線材や紐等の交点は、溶接や止め金具等による接合、互いに組み合わせた接合、互いに結び合わた接合等により接合されてもよく、交点で接合されない形態でもよい。
【００１６】
本形態に係るフェンス１は、いずれも亜鉛めっきが施された多数本の鉄製線材１１を格子状に組合せ、その格子の各交点は電気溶接により接合され、更に表面全体を樹脂で被覆されたものであり、生産性や防錆性能等を考慮すると本形態がより好ましい。このフェンス１は支持具Ｐを介して壁面Ｗに間隔を開けて取付けられると共に、つる性植物等を支持して生長させ、壁面Ｗを緑化させるための植物支持材料である。対象壁面が建築構造物の場合は、地面から上向きに植物を生長させてもよいし、屋上から下向きに植物を生長させてもよい。
【００１７】
フェンス１の格子の大きさは、特に限定されるものではないが、１０ｃｍ角程度とすると、植物がフェンスの格子を伝って生長する際に、横方向より垂直方向に生長しやすい傾向を示すため、比較的短期間でフェンス全面の緑化がなされる。又、地面に近い壁面Ｗにフェンスを取付ける際は、格子の横間隔を５ｃｍ程度にすると、格子に靴や人の足が入りにくくなり、人が容易にはよじ登れなくなる。
【００１８】
続いて、壁面Ｗには、支持具Ｐを取付けるためのアンカーボルト６が所定の間隔をおいて壁面Ｗ対してほぼ垂直に取付けられている。又、アンカーボルト６には、金属や硬質の合成樹脂よりなる本体１３の両端面に弾性部材１４、１５が取付られた円盤状のベース材１６が通されており、支持具Ｐを壁面Ｗに取付ける際、ベース材１６は支持具Ｐと壁面Ｗの間に配置される。
【００１９】
次に、図面に示された各支持具Ｐについて、具体的に説明する。
先ず図１及び図２に示された支持具Ｐは、壁面Ｗに突設される突設部材２と、突設部材２の先端に取付けられた押さえ部材３とからなり、突設部材２の先端に受け面４が形成されると共に、この受け面４に相対向して押さえ部材３に押さえ面５が形成され、そしてこの受け面４と押さえ面５とでフェンス１の線材１１を挟持することにより、所定の間隔を開けて、フェンス１が壁面Ｗに取付けられるようになされている。
【００２０】
突設部材２は円筒状であり、基端側は壁面Ｗのアンカーボルト６に螺合されて、ベース材１６を挟んで壁面Ｗに対してほぼ垂直に取付けられ、突設部材２はベース材１６の弾性部材１４に当接され、壁面Ｗは弾性部材１５に当接された状態となる。このため、突接部材１に必要以上に力がかかってアンカーボルト６に螺合されても、その力は弾性部材で吸収されて壁面Ｗが破損する恐れが少なくなり、又、突接部材１とベース材１６との間、及びベース材１６と壁面Ｗとの間からは雨水等が浸入しにくくなる。又、突設部材２の外周面にはアンカーボルト６に螺合させる際に、締付工具を嵌め合わせるための平坦面２１が相対向して形成されている。
【００２１】
押さえ部材３は、一面に押さえ面５が形成された円盤状でその外径は突設部材２と同程度となされ、中心部に螺入された取付ボルト１２によって突設部材２に取付けられ、突設部材２の受け面４に押さえ面５が相対向して配置されるようになされている。取付ボルト１２は、受け面４及び押さえ面５との間で露出した部分が円筒状のゴム部材２２で被覆されており、そのために、受け面４と押さえ面５とでフェンス１の線材１１を挟持した状態において、線材１１が取付ボルト１２に接触しても、表面に傷等が生じにくく、又、取付ボルト１２の螺合部に雨水等が浸入しにくくようになされている。尚、本形態の取付ボルト１２はステンレス鋼からなるが、必要な長さや強度に応じて、鋼材等の他の金属でもよい。
【００２２】
フェンス１の線材１１が受け面４及び押さえ面５で挟持される際、挟持される箇所は、線材１１の任意の箇所でよく、交差部１７でもよいし、交差部１７以外の箇所でもよい。もっともフエンス１が本形態の如く横線材１１と縦線材１１とからなる場合は、縦線材１１を挟持すれば左右の動きが取付ボルト１２によって阻止されるものの、横線材１１を挟持すれば、挟持力が弱い場合にも、フエンス１自体の自重を取付ボルト１２によって支えることができるので、横線材１１を挟持する方が好ましい。
【００２３】
本形態において、受け面４と押さえ面５のそれぞれには、全面に微細な滑り止め突起２３が形成されており、そのため、線材１１は受け面４と押さえ面５とに挟持される際、挟持力に加えて位置ずれがより起こりにくくされている。滑り止め突起２３の形態は、四角錐状でもよく、四角柱状のものでもよく、四角錐状の形態で頂上部が欠損した断面が台形状となるものでもよく、前記の四角形状の代わりに三角形状としたものでもよい。
【００２４】
突設部材２及び押さえ部材３は、本形態では鋼材あるいは亜鉛材に亜鉛めっきを施したものから形成され、これによって耐食性を向上させたものであるが、アルミニウム材やステンレス鋼等の比較的耐食性の優れた金属材料を用いてもよく、壁面Ｗやフェンス１の色彩や景観性を考慮して、更に表面に塗装を施してもよいし、フィルムやシートを貼着させてもよい。
【００２５】
次に図３及び図４に示された支持具Ｐについて説明する。
図３及び図４に示された支持具Ｐは、図１及び図２に示された支持具Ｐと比べて突設部材２の構造が異なるのみであり、その他の点については図１及び図２に示された支持具Ｐの形態とほぼ同様である。
【００２６】
すなわち、図３及び図４に示された支持具Ｐにおいて、突設部材２は、壁面Ｗに固着された基部２４と基部２４の先端に取付けられた受け部材２５とからなり、基部２４と受け部材２５との外径は同程度になされている。
【００２７】
受け部材２５は、一端には雄ねじ部２６が形成され基部２４と螺合されると共に、他端には受け面４が形成され押さえ部材３が取付けられた円盤状の形態である。又、基部２４と受け部材２５との間には、雄ねじ部２６に通されたリング状の弾性部材２７が基部２４と受け部材２５とに圧着されて配置されている。このため、受け部材２５を回動させれば基部２４に対して進退し、弾性部材２７の弾性力によって受け部材２５はその位置からは不用意には動かないようになされると共に、壁面Ｗに不陸が生じている場合は、その不陸に対して受け部材２５の位置調整が容易となる。
【００２８】
押さえ部材３は、受け面４と相対向する押さえ面５との偏心位置に螺入された取付ボルト１２によって受け部材２５に取付けられている。このため、フェンス１の線材１１を受け面４と押さえ面５とで挟持する際、取付ボルト１２に対して受け面４及び押さえ面５の遠点側の挟持可能域が取付ボルト１２を中心に配置した場合に比べて広くなり、施工誤差等による位置ずれが生じていても、この領域でこの施工誤差等を吸収し、フェンス１を無理なく且つ容易に取付けることができる。
【００２９】
又、受け面４及び押さえ面５には、一方より係合片２８が突出されると共に他方には前記係合片２８に嵌合される切欠部２９が形成され、受け部材２５に対する押さえ部材３の不必要な回動を防止している。又、受け面４には押さえ面５との間に抜け止め片３０が突設され、線材１１が容易に抜け出さないようになされている。
【００３０】
次に図５及び図６に示された支持具について説明する。
図５及び図６に示された支持具Ｐは、図３及び図４に示された支持具Ｐと比べて線材１１の挟持構造が異なるのみであり、その他の点についてはほぼ図３及び図４に示された支持具Ｐの形態と同様である。
【００３１】
すなわち、図５及び図６に示された支持具Ｐにおいて、受け部材２５の受け面４には、一側端から他側端に亘って延びる溝３１が十字に形成され、この十字溝３１の側壁の外側面に亘って雄ねじ溝３２が形成されている。この十字溝３１にフェンス１の線材１１の交差部１７が配置されると共に、雄ねじ溝３２に押さえ部材３が螺合される。
【００３２】
押さえ部材３は有底筒状であり、内側面には雌ねじ溝３３が形成され、受け部材２５の雄ねじ溝３２に螺合されて、受け部材２５に取付けられる。又、押さえ部材３の外底部には十字状の取付穴３４が形成されている。こうすれば、取付穴３４にドライバー等を差し込み、受け部材２５に対し押さえ部材３を十分に締め付けることができる。
【００３３】
図１〜４に示された支持具Ｐを用いてフェンス１を壁面Ｗに取付ける際は、まず、突設部材２を壁面Ｗに取付け、取付ボルト１２を用いて押さえ部材３を突設部材２に取付ける。この際、受け面４と押さえ面５との間隔は、フェンス１の線材１１の幅より広くする。続いて、フェンス１の横線材１１が前記取付ボルト１２の上方に位置するように取付ける。こうすれば、フェンス１は支持具Ｐによって支えらた状態となる。この状態で、壁面Ｗの不陸や施工誤差に対する支持具Ｐの位置調整を行う。そして取付ボルト１２を締め付けて、受け面４と押さえ面５との間で横線材１１を挟持する。こうすれば、フェンス１が所定の間隔を開けて壁面Ｗに取付けられる。
【００３４】
図５及び図６に示された支持具Ｐを用いてフェンス１を壁面Ｗに取付ける場合は、フェンス１の線材１１の交差部１７でも、それ以外の箇所でも、作業性には特に差がないので、交差部１７を取付ける場合について説明する。まず、受け部材３の十字溝３１にフェンス１の交差部１７を配置する。続いて、押さえ部材３を十字溝３１に螺合させ、受け部材３に取付ける。この際、押さえ部材３の先端にリング状に形成された押さえ面５で線材１１を押圧するように締め付ければ、十字溝３１に対して交差部１７が固定され、フェンス１が所定の間隔を開けて壁面Ｗに取付けられる。
【産業上の利用可能性】
【００３５】
本発明によれば、壁面を植物により緑化する場合、植物の支持材料となるフェンスを壁面に取付ける際に、施工誤差による位置ずれを吸収し、取付けられたフェンスが位置ずれしにくくなるため、例えば、既存の建築構造物の壁面や道路の法面の緑化に好適に利用される。
【図面の簡単な説明】
【００３６】
【図１】フェンスの支持具の参考例を示す斜視図である。
【図２】図１の支持具の断面図である。
【図３】本発明に係るフェンスの支持具において実施の一形態を示す斜視図である。
【図４】図３の支持具の断面図である。
【図５】フェンスの支持具の参考例を示す斜視図である。
【図６】図５の支持具の断面図である。
【図７】図２における受け面の正面図である。
【符号の説明】
【００３７】
１    フェンス
１１  （鉄製、縦、横）線材
１２  取付ボルト
１３  本体
１４、１５  弾性部材
１６  ベース材
１７  交差部
２    突設部材
２１  平坦面
２２  ゴム部材
２３  滑り止め突起
２４  基部
２５  受け部材
２６  雄ねじ部
２７  弾性部材
２８  係合片
２９  切欠部
３    押さえ部材
３０  抜け止め片
３１  （十字）溝
３２  雄ねじ溝
３３  雌ねじ溝
３４  取付穴
４    受け面
５    押さえ面
５１  交差部
６    アンカーボルト
Ｐ    支持具
Ｗ    壁面
【図１】
0004789181.tif 000002
【図２】
0004789181.tif 000003
【図３】
0004789181.tif 000004
【図４】
0004789181.tif 000005
【図５】
0004789181.tif 000006
【図６】
0004789181.tif 000007
【図７】
0004789181.tif 000008